(57)【要約】【課題】下部パネル支持体に吊戸の案内構造を構成するための施工が容易な間仕切パネル装置を提供する。【解決手段】天井Ｃに設けられ左右に延びる上部パネル支持体２と床面Ｆに設けられ左右に延びる下部パネル支持体３との間に亘って連設された前後一対のパネル体４，４と、吊戸１１と、を有してなる間仕切パネル装置１であって、下部パネル支持体３は、前後のパネル体４，４を支持するための支持部３８，３８を有し、該支持部３８，３８の前後間に吊戸１１の下端部が配置される凹溝９０が一体に構成されている。【選択図】図４
2018071279.tif 000002
【特許請求の範囲】
【請求項１】
天井に設けられ左右に延びる上部パネル支持体と床面に設けられ左右に延びる下部パネル支持体との間に亘って連設された前後一対のパネル体と、吊戸と、を有してなる間仕切パネル装置であって、
前記下部パネル支持体は、前後の前記パネル体を支持するための支持部を有し、該支持部の前後間に前記吊戸の下端部が配置される凹溝が一体に構成されていることを特徴とする間仕切パネル装置。
【請求項２】
前記下部パネル支持体は、前方側で前記パネル体を支持する前記支持部を有する第１下部パネル支持体と、後方側で前記パネル体を支持する前記支持部を有する第２下部パネル支持体とに分割され、
前記第１下部パネル支持体及び前記第２下部パネル支持体は、それぞれに前記支持部と、前後に対向して前記凹溝を構成することを特徴とする請求項１に記載の間仕切パネル装置。
【請求項３】
前記下部パネル支持体は、左右に延びる前後一対の断面上向きコ字形の開口部を有するベース部材と、前後一対の前記開口部を上方からそれぞれ外嵌する断面上向きコ字形の屈曲板から構成される前記第１下部パネル支持体及び前記第２下部パネル支持体と、を備えることを特徴とする請求項１または２に記載の間仕切パネル装置。
【請求項４】
前記パネル体及び前記吊戸は、透光性を有していることを特徴とする請求項１ないし３のいずれかに記載の間仕切パネル装置。
【請求項５】
前記ベース部材には、前後一対の前記開口部内に前記第１下部パネル支持体及び前記第２下部パネル支持体の上下位置を調整可能なアジャスタ機構がそれぞれ設けられることを特徴とする請求項３に記載の間仕切パネル装置。
【発明の詳細な説明】
【技術分野】
【０００１】
本発明は、天井と床面とに設けられたパネル支持体間にパネル体を取付けしてなる間仕切パネル装置に関する。
【背景技術】
【０００２】
オフィス、会議室、展示場等の室内空間を用途に合わせて区画して使用するために、天井と床面とに設けられたパネル支持体間に複数のパネル体を取付けしてなる間仕切パネル装置が用いられている。
【０００３】
このような間仕切パネル装置は、例えば、特許文献１に開示されているように、間仕切パネル装置の一部に吊戸を開閉するための吊戸装置を設置することにより、間仕切パネル装置に出入口を形成したものがある。詳しくは、吊戸装置は、レールと、該レールに沿って移動可能な吊具により吊支されるガラス製の吊戸と、戸袋を構成する戸袋ガラス及び開閉自在な点検パネルと、から一体に構成され、間仕切パネル装置の左右方向において笠木（上部パネル支持体）と巾木との間に、上下方向に亘る正面視門型またはＨ字型を成す枠体が取付けられ、該枠体に対して吊戸装置が吊設されることにより、間仕切パネル装置の一部に開閉可能な吊戸を設置できるようになっている。
【先行技術文献】
【特許文献】
【０００４】
【特許文献１】特許第３６６６４４３号公報（第２頁、第１図）
【発明の概要】
【発明が解決しようとする課題】
【０００５】
しかしながら、特許文献１にあっては、間仕切パネル装置に吊戸を開閉するための吊戸装置を取付ける施工過程において、パネル体の支持構造を構成する笠木及び巾木を設置した後、吊戸の下端部の案内構造を構成するために、正面視門型またはＨ字型を成す剛性体であり大型の重量物である大型に構成される枠体の搬入と間仕切パネル装置間への設置、さらに吊戸が一体に組み込まれ同じく大型の重量物である吊戸装置の搬入と枠体への取付けといった大掛かりな施工が必要となり吊戸装置の取付け施工が煩雑になるという問題があった。
【０００６】
本発明は、このような問題点に着目してなされたもので、下部パネル支持体に吊戸の案内構造を構成するための施工が容易な間仕切パネル装置を提供することを目的とする。
【課題を解決するための手段】
【０００７】
前記課題を解決するために、本発明の間仕切パネル装置は、
天井に設けられ左右に延びる上部パネル支持体と床面に設けられ左右に延びる下部パネル支持体との間に亘って連設された前後一対のパネル体と、吊戸と、を有してなる間仕切パネル装置であって、
前記下部パネル支持体は、前後の前記パネル体を支持するための支持部を有し、該支持部の前後間に前記吊戸の下端部が配置される凹溝が一体に構成されていることを特徴としている。
この特徴によれば、床面に設けられた下部パネル支持体に吊戸の下端部が配置される凹溝が一体に構成されることにより、取付け施工時において、凹溝により下部パネル支持体に対する吊戸の下端部の位置決めを容易に行うことができるため、下部パネル支持体に吊戸の案内構造を構成するための施工が容易になる。
【０００８】
前記下部パネル支持体は、前方側で前記パネル体を支持する前記支持部を有する第１下部パネル支持体と、後方側で前記パネル体を支持する前記支持部を有する第２下部パネル支持体とに分割され、
前記第１下部パネル支持体及び前記第２下部パネル支持体は、それぞれに前記支持部と、前後に対向して前記凹溝を構成することを特徴としている。
この特徴によれば、第１下部パネル支持体と第２下部パネル支持体を離間させて個別に設置することにより、下部パネル支持体に吊戸の案内構造を容易に構成することができる。
【０００９】
前記下部パネル支持体は、左右に延びる前後一対の断面上向きコ字形の開口部を有するベース部材と、前後一対の前記開口部を上方からそれぞれ外嵌する断面上向きコ字形の屈曲板から構成される前記第１下部パネル支持体及び前記第２下部パネル支持体と、を備えることを特徴としている。
この特徴によれば、ベース部材の前後一対の開口部に第１下部パネル支持体及び第２下部パネル支持体がそれぞれ外嵌されることにより、下部パネル支持体の構造が補強されるため、第１下部パネル支持体及び第２下部パネル支持体を前後に分割しても下部パネル支持体における前後一対のパネル体の支持強度を高めることができる。
【００１０】
前記パネル体及び前記吊戸は、透光性を有していることを特徴としている。
この特徴によれば、吊戸の開閉状態に係らず、間仕切パネル装置を挟んで反対側を見ることができるため、透明の間仕切として機能する。
【００１１】
前記ベース部材には、前後一対の前記開口部内に前記第１下部パネル支持体及び前記第２下部パネル支持体の上下位置を調整可能なアジャスタ機構がそれぞれ設けられることを特徴としている。
この特徴によれば、アジャスタ機構によりベース部材の開口部の上方から外嵌される第１下部パネル支持体及び第２下部パネル支持体の上下位置の調整を個別に行うことができるため、下部パネル支持体の取付け施工時のレベル調整が容易になる。
【図面の簡単な説明】
【００１２】
【図１】実施例における間仕切パネル装置を示す斜視図である。
【図２】図１のＡ−Ａ線において、間仕切パネル装置の両面にガラスパネルが取付けられ、ガラスパネルの対向面間に吊戸が吊支された状態を示す側面視の断面図である。
【図３】図１のＡ−Ａ線において、間仕切パネル装置の上部パネル支持体におけるガラスパネルの取付け構造及び吊戸の吊支構造を示す側面視の断面図である。
【図４】図１のＡ−Ａ線において、間仕切パネル装置の下部パネル支持体におけるガラスパネルの取付け構造及び吊戸の吊支構造を示す側面視の断面図である。
【図５】吊支装置による吊戸の吊支構造を示す部分断面図である。
【図６】吊戸を開けた状態における間仕切パネル装置の戸袋の構造を示す上面視の断面図である。
【図７】吊戸を閉めた状態における間仕切パネル装置の戸当の構造を示す上面視の断面図である。
【図８】図１のＢ−Ｂ線において、間仕切パネル装置に吊戸が吊支された状態を示す側面視の断面図である。
【図９】図１のＢ−Ｂ線において、間仕切パネル装置の上部パネル支持体における吊戸の吊支構造を示す側面視の断面図である。
【図１０】図１のＢ−Ｂ線において、間仕切パネル装置の吊戸ガイドにおける吊戸の吊支構造を示す側面視の断面図である。
【図１１】（ａ）ないし（ｄ）は、実施例における間仕切パネル装置の戸袋におけるガラスパネルの取付け手順を示す側面視の断面図である。
【発明を実施するための形態】
【００１３】
本発明に係る間仕切パネル装置を実施するための形態を実施例に基づいて以下に説明する。
【実施例】
【００１４】
実施例に係る間仕切パネル装置につき、図１から図１１を参照して説明する。以下、図２の紙面左側を間仕切パネル装置の正面側（前方側）とし、図２の紙面右側を間仕切パネル装置の背面側（後方側）として説明する。
【００１５】
間仕切パネル装置１は、例えば、学校やオフィス等の建物内の部屋や空間を複数の区画に仕切って分割するために、天井から床面に亘って複数のパネルを取付けてなるものであり、パネルとして透明のガラスパネル４（パネル体）が使用されることにより区画空間の開放感を演出することができるとともに強度や遮音性に優れる。
【００１６】
図１及び図２に示されるように、実施例における間仕切パネル装置１は、天井Ｃに固定され左右に延びる上部パネル支持体２と、床面Ｆに固定され左右に延びる下部パネル支持体３と、の間に複数のガラスパネル４，４，…が前後に離間させて取付けられた二重ガラスパネル構造になっている。また、間仕切パネル装置１には、所定位置において前後一対のガラスパネル４，４を取付けない部分を設けることにより出入口Ｇが構成されており、この出入口Ｇを開閉するための引戸式の吊戸１１が設けられている。
【００１７】
尚、間仕切パネル装置１の出入口Ｇには、吊戸１１により出入口Ｇを閉めた状態（図７参照）において、吊戸１１の戸頭側の側端部が当接する戸当８と、吊戸１１により出入口Ｇを開けた状態（図１及び図６参照）において、吊戸１１を引き込むための戸袋９が設けられている。
【００１８】
次いで、ガラスパネル４，４，…の構造について詳しく説明する。尚、上部パネル支持体２と下部パネル支持体３との間に前後に離間させて取付けられるガラスパネル４，４は、同一構成であるため、間仕切パネル装置１の前方側に取付けられるガラスパネル４について説明し、後方側に取付けられるガラスパネル４についての説明を省略する。
【００１９】
図２に示されるように、各ガラスパネル４は、２枚の透明な板ガラス４ａ，４ａを重合して強化した合わせガラスであるパネル本体４ｂと、該パネル本体４ｂの上端面４ｃ及び下端面４ｅに両面接着テープあるいはホットメルト接着剤５によりそれぞれ固定された上部縁材６及び下部縁材７と、から構成されている。尚、現場での取付けや施工時間を短縮するために、予め工場等においてパネル本体４ｂに上部縁材６及び下部縁材７を取付け、ガラスパネル４をユニット化しておくとよい。尚、パネル本体４ｂとしては、透明なアクリル製の板材が使用されてもよい。
【００２０】
また、左右に隣接するガラスパネル４，４の対向端部同士は、透明度の高い樹脂製のジョイント材４０（図６参照）が充填されることにより上下方向の枠を使用しなくとも左右方向の連結が可能になっている。
【００２１】
次いで、上部縁材６について詳しく説明する。尚、前方側に取付けられるガラスパネル４の上部縁材６について説明する。図３に示されるように、ガラスパネル４を構成する上部縁材６は、側面視クランク形状をなし、パネル本体４ｂの上端面４ｃに両面接着テープあるいはホットメルト接着剤５により固定される水平板６０と、水平板６０の後端から上方に向けて延びる挿入板６１と、水平板６０の前端からパネル本体４ｂに沿って下方に向けて所定距離延びる垂下板６２と、を有している。尚、上部縁材６は、アルミ合金製の押出成形品である。
【００２２】
垂下板６２は、パネル本体４ｂの前面側に沿って当接することにより、上部パネル支持体２と下部パネル支持体３との間にガラスパネル４が取付けられた状態において、パネル本体４ｂに対して後方側から水平方向に応力が働いた場合にパネル本体４ｂが抜け出ないように支持できるようになっている。また、垂下板６２がパネル本体４ｂの前面側に沿って当接するため、パネル本体４ｂの上端面４ｃに対して水平板６０を固定する際に、前後方向の位置合わせを行いやすくなっている。
【００２３】
また、水平板６０の長手方向及び前後方向の寸法をパネル本体４ｂの上端面４ｃの長手方向及び前後方向の寸法とそれぞれ略同寸にすることにより、水平板６０とパネル本体４ｂの上端面４ｃの間の接着面積が大きくなり、両面接着テープあるいはホットメルト接着剤５による接着力が高められている。
【００２４】
挿入板６１の前後方向の寸法は、後述する上部挿入溝２７の前後方向の寸法よりも小さくなっており、ガラスパネル４を斜めに傾斜させたまま挿入板６１を上部挿入溝２７内に挿入できるとともに、挿入板６１が上部挿入溝２７内に挿入された状態のまま、ガラスパネル４を回動させて垂直に立ち上げることができる。尚、挿入板６１のたわみを利用してガラスパネル４を回動させるようにしてもよく、この場合には、上部挿入溝２７と挿入板６１との前後方向の隙間は必須ではない。
【００２５】
尚、挿入板６１を切欠く等して長手方向の寸法をパネル本体４ｂの上端面４ｃの長手方向の寸法よりも短寸に形成することにより、挿入板６１の側面を下方から視認でき、挿入板６１を後述する上部支持部材２２の上部挿入溝２７に挿入させるための位置合わせと挿入作業を容易に行えるようにしてもよい。また、挿入板６１は、水平板６０に対して複数形成されてもよい。
【００２６】
次いで、下部縁材７について詳しく説明する。尚、前方側に取付けられるガラスパネル４の下部縁材７について説明する。図４に示されるように、ガラスパネル４を構成する下部縁材７は、パネル本体４ｂの下端面４ｅに両面接着テープあるいはホットメルト接着剤５により固定される水平板７０と、水平板７０の前端からパネル本体４ｂの前面に沿って上方に向けて延びる支持片７１と、水平板７０の前端から下方に向けて突設される当接片７２と、水平板７０の後端から下方に向けて突設される係合片７３と、から構成されている。尚、下部縁材７は、アルミ合金製の押出成形品である。
【００２７】
支持片７１は、水平板７０の前端からパネル本体４ｂの前面に沿って上方に向けて所定距離延び、上部パネル支持体２と下部パネル支持体３との間にガラスパネル４が取付けられた状態において、パネル本体４ｂに対して後方側から水平方向に応力が働いた場合にパネル本体４ｂが抜け出ないように支持できるようになっている。
【００２８】
当接片７２は、下部縁材７の水平板７０の前端から下方に向けて突設され、下方に向けて後述する巾木３０側（後方側）に漸次拡張した形状をなし、当接片７２の下端に形成される当接面７２ａが後述する下部支持部材３２の当接面３８ｄに上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００２９】
係合片７３は、下部縁材７の水平板７０の後端から下方に向けて突設され、下方に向けて巾木３０側に漸次減縮した形状をなし、後述する下部支持部材３２の被係合部３８ｃに係合可能になっている。言い換えれば、係合片７３の前方側には、下方に向けて前方側から後方側へ傾斜する傾斜面７３ｂが形成されている。また、係合片７３の後方側には、パネル本体４ｂの後面４ｄと略面一となる垂直面７３ａが形成されている。
【００３０】
また、下部縁材７の水平板７０の長手方向及び前後方向の寸法をパネル本体４ｂの下端面４ｅの長手方向及び前後方向の寸法とそれぞれ略同寸にすることにより、下部縁材７の水平板７０とパネル本体４ｂの下端面４ｅの間の接着面積が大きくなり、両面接着テープあるいはホットメルト接着剤５による接着力を高められるようになっている。
【００３１】
次いで、吊戸１１について詳しく説明する。図２に示されるように、吊戸１１は、前述したパネル本体４ｂの上下方向の寸法と略同寸の１枚の強化ガラスである吊戸本体１１ａと、吊戸本体１１ａの上端部において左右方向に離間させて取付けられる吊支装置１５，１５（図５参照）と、から主に構成されている。尚、吊支装置１５，１５は、同一構成であるため、一方の吊支装置１５について説明し、他方の吊支装置１５についての説明を省略する。
【００３２】
吊戸本体１１ａには、戸頭側の前後両面に側面視略コ字状をなす把手１２，１２（図１参照）がそれぞれ取付けられることにより、吊戸１１の開閉を行いやすくなっている。また、吊戸本体１１ａには、吊戸１１により出入口Ｇを閉めた状態（図７参照）において、吊戸１１を施錠するための施錠手段１３が設けられている。
【００３３】
また、吊戸本体１１ａの戸頭側の側端部には、吊戸１１により出入口Ｇを閉める際に、戸当８に設けられる後述する戸当部材８３に当接する保護材１４が上下方向に亘って取付けられている。尚、保護材１４は、透光性と耐衝撃性が高いポリカーボネート製であり、吊戸本体１１ａに取付けられた状態において目立ち難く、吊戸１１により出入口Ｇを閉める際の衝撃から吊戸本体１１ａを保護できるようになっている。
【００３４】
尚、吊戸本体１１ａの上端部は、所定位置を切欠かれることにより凹凸形状（図５参照）をなしており、後述する吊支装置１５の支持ボルト１８や挟持板１９，１９を締結するためのボルト１９ｂ，１９ｂに緩衝しないようになっている。また、吊支装置１５は、下方に窪む当該凹部に取付けられるため、吊戸本体１１ａの凸部の上端を天井Ｃに近づけた構成とすることができる。
【００３５】
図３及び図５に示されるように、吊支装置１５は、吊戸本体１１ａの上端部に取付けられ、後述するレール部２６内を左右方向（レール部２６の延伸方向）に走行可能なローラ部１６と、該ローラ部１６に吊戸本体１１ａを連結する連結部１７と、から主に構成されている。
【００３６】
ローラ部１６は、後述する支持ボルト１８の胴部１８ｂが螺合される基部１６ａと、基部１６ａの前後面に左右方向に離間して前後一対ずつ軸支される走行ローラ１６ｂ，１６ｂ，１６ｂ，１６ｂと、から構成され、後述するレール部２６の走行板２６ａ，２６ａ上を左右方向に滑らかに走行できるようになっている。
【００３７】
連結部１７は、ローラ部１６の基部１６ａに螺合され下方に延びる支持ボルト１８と、支持ボルト１８に対して前後から取付けられる一対の挟持板１９，１９と、から主に構成されている。
【００３８】
支持ボルト１８は、頭部１８ａを下方に向けた状態でローラ部１６の基部１６ａに螺合されるとともに、予め胴部１８ｂに挿通されるナット１８ｃとその頭部１８ａとの間に挟持板１９，１９の左右略中央から対向するように延出する連結片１９ａ，１９ａを上下に重ねて配置した状態で締結することにより、支持ボルト１８に対して挟持板１９，１９を強固に固定できるようになっている。尚、後段にて詳述するが挟持板１９，１９は、支持ボルト１８に固定されることによりレール部２６の下方に配置された状態になっている。
【００３９】
挟持板１９，１９には、左右方向に離間して前後方向に貫通する図示しない貫通孔が穿設されており、この貫通孔にボルト１９ｂ，１９ｂを挿通して締付けることにより、挟持板１９，１９の前後方向の離間寸法を調整できるようになっている。これによれば、吊戸本体１１ａの上端部をレール部２６の下方に配置される挟持板１９，１９間に下方から挿入した状態でボルト１９ｂ，１９ｂを締付けることにより、吊戸本体１１ａの上端部を挟持板１９，１９により挟持して強固に固定することができる。また、前述したように、吊戸本体１１ａの上端部は切欠かれて凹凸形状をなしているため、挟持板１９，１９間における位置合わせが行いやすく、吊戸１１をレール部２６に吊支するための取付け施工を容易に行うことができるようになっている。
【００４０】
尚、レール部２６には、吊戸１１の戸尻側に取付けられる吊支装置１５のローラ部１６に接触するストッパ１６ｃが所定位置に設けられることにより、吊戸１１が戸袋９内に必要以上に引き込まれないように吊戸１１の移動を規制することができるため、吊戸本体１１ａの戸尻側の側端部が戸袋９内において後述する中柱９２等に衝突することを防いでいる。また、ストッパ１６ｃには、ショックアブソーバが内蔵されており、吊支装置１５のローラ部１６が接触した際の衝撃を吸収できるようになっている。
【００４１】
次いで、上部パネル支持体２について詳しく説明する。図２及び図３に示されるように、天井Ｃには、側面視下向きコ字状をなす笠木２０が天井裏に配置される側面視上向き略コ字状をなす固定部材２９と複数の固定ボルト５０，５０，…によって連結されることにより、天井Ｃを挟み込むようにして強固に固定されている。このとき、笠木２０の天板２０ａには、笠木２０の延伸方向に沿って複数の連結金具２１，２１，…（図２及び図３では、１つの連結金具２１のみを示している）が固定ボルト５０，５０，…によって笠木２０と共締めされることにより固定されている。さらに、連結金具２１，２１，…には、笠木２０の下方から外嵌される後述する上部支持部材２２の連結部２４が複数の連結ボルト２１ａ，２１ａ，…によって一体に連結されている。言い換えれば、上部支持部材２２は、天井Ｃに対して笠木２０と一体に取付けられるようになっている。尚、連結金具２１は、板材を複数重ね合わせることにより構成されており、板材の枚数を変更することで笠木２０に外嵌される上部支持部材２２の高さ位置を調整可能になっている。また、固定ボルト５０と連結ボルト２１ａの説明の便宜上、図３においては、連結ボルト２１ａの胴部を破線で表示している。
【００４２】
尚、本実施例における上部パネル支持体２は、笠木２０と上部支持部材２２を合わせたものとなっている。また、上部パネル支持体２を構成する笠木２０と上部支持部材２２は、アルミ合金製の押出成形品である。
【００４３】
上部支持部材２２は、下方から前後方向に対向する側面視略Ｌ字状の走行板２６ａ，２６ａからなるレール部２６（レール）と、走行板２６ａ，２６ａの上下略中央からそれぞれ前後方向外側に向けて延びる前方支持部２５及び後方支持部２５’と、前述した連結金具２１に下方から当接する前後一対の当接片２４ｂ，２４ｂを有する側面視ロ字状の連結部２４と、から主に構成されている。
【００４４】
また、上部支持部材２２には、笠木２０の前後の側板２０ｂ，２０ｂの外面に沿って上方に延び前方支持部２５及び後方支持部２５’を構成する前後の起立板２５ａ，２５ａと、前後の起立板２５ａ，２５ａの間に形成される連結部２４と、前後の起立板２５ａ，２５ａの間に形成されるレール部２６と、から側面視上向き略コ字状構造の上向き開放部分である嵌合部２３が形成され、笠木２０を下方から覆うように外嵌される。尚、前方支持部２５及び後方支持部２５’の構造は、同一構成であるため、前方支持部２５の構造について説明し、後方支持部２５’の構造についての説明を省略する。
【００４５】
連結部２４は、レール部２６を構成する前後の走行板２６ａ，２６ａを笠木２０の内部で前後方向に連結する連結板２４ａと、連結板２４ａの上面から上方に延び連結金具２１に下方から当接する前後一対の当接片２４ｂ，２４ｂと、当接片２４ｂ，２４ｂを前後方向に連結するとともに上部支持部材２２と連結金具２１とを一体に連結するための連結ボルト２１ａが挿通される取付板２４ｃと、から構成されている。
【００４６】
前方支持部２５は、前方側の起立板２５ａの上端から前方に向けて延びる上板２５ｂと、上板２５ｂの前端から下方に向けて延び起立板２５ａと対向する対向板２５ｃと、から主に構成され、起立板２５ａと上板２５ｂと対向板２５ｃの３つの板から側面視下向き略コ字状の上部挿入溝２７が形成されている。
【００４７】
また、対向板２５ｃの下端は、起立板２５ａの下端よりも上方に形成されている。言い換えれば、上部挿入溝２７の開口部２７ａは、起立板２５ａの下端よりも上方に形成されている。
【００４８】
また、対向板２５ｃには、前方側に向けて係止部２５ｄが形成されており、前面カバー部材１０ｂが係止されることにより取付けられ、上部パネル支持体２に対するガラスパネル４の取付け構造を隠せるようになっている。
【００４９】
レール部２６は、連結部２４を構成する連結板２４ａの前後両端から下方に延び端部同士が前後方向に対向して側面視略Ｌ字状に形成される走行板２６ａ，２６ａから構成されており、走行板２６ａ，２６ａの対向端部間、すなわちレール部２６の前後略中央において下方に開放する開口部２６ｂが形成されるとともに、連結部２４の連結板２４ａと前後の走行板２６ａ，２６ａにより上部支持部材２２の内部に側面視矩形状の空間が形成されている。
【００５０】
レール部２６内には、前述した吊支装置１５のローラ部１６を配置できるようになっており、前後方向に対向する走行板２６ａ，２６ａ上を走行ローラ１６ｂ，１６ｂ，１６ｂ，１６ｂが走行できるようになっている。また、レール部２６の開口部２６ｂからは、ローラ部１６の基部１６ａに螺合される吊支装置１５の支持ボルト１８を下方に突出させることができ、レール部２６の下方に支持ボルト１８に固定される挟持板１９，１９を配置できるようになっている。尚、レール部２６の開口部２６ｂは、吊支装置１５のローラ部１６が配置されるレール部２６内の前後寸法よりも走行板２６ａ，２６ａの前後寸法分だけ狭くなるように構成されているため、レール部２６内に配置される吊支装置１５のローラ部１６が見え難くなり、美観を高めることができる。
【００５１】
また、レール部２６の走行板２６ａ，２６ａの前後方向外側には、係止部２６ｃ，２６ｃがそれぞれ形成されており、左右方向に延びる側面視略Ｌ字状のレールカバー２８，２８（図１，図３参照）がそれぞれ係止されることにより取付けられ、レール部２６の下方において、レール部２６及びレール部２６に吊支される吊戸１１の吊支装置１５，１５、すなわち、吊戸１１の吊支構造を隠せるようになっている。尚、レールカバー２８，２８は、上部支持部材２２の前後の起立板２５ａ，２５ａに対して上下方向にそれぞれ略面一になるように取付けられる。
【００５２】
次いで、下部パネル支持体３について詳しく説明する。図２及び図４に示されるように、床面Ｆには、側面視上向きコ字状をなす巾木３０（ベース部材）が複数のアンカーボルト５１，５１，…により固定されている。このとき、巾木３０の底板３０ａには、側面視上向きコ字状をなす案内部材３１がアンカーボルト５１，５１，…によって巾木３０と共締めされることにより固定されている。
【００５３】
巾木３０の内部には、巾木３０の底板３０ａと、巾木３０の前後の側板３０ｂ，３０ｂと、案内部材３１の側板３１ｂ，３１ｂとから巾木３０の延伸方向に亘って前後一対の側面視上向きコ字状の開口部３３，３３が形成され、開口部３３，３３の所定位置には、アジャスタ機構３４，３４がそれぞれ配設されている。尚、アジャスタ機構３４は、各開口部３３において左右方向に離間した状態で少なくとも２つ以上設けられている。
【００５４】
アジャスタ機構３４，３４は、開口部３３，３３内でそれぞれ前後に亘って設けられる基部３４ａ，３４ａと、基部３４ａ，３４ａに設けられるねじ孔３４ｂ，３４ｂに上方から螺合されるアジャスタボルト３５，３５と、から構成され、基部３４ａ，３４ａは、側面視略Ｌ字状の脚部３４ｃ，３４ｃを介して巾木３０の底板３０ａに固定されている。尚、アジャスタ機構３４，３４は、基部３４ａ，３４ａが巾木３０の前後の側板３０ｂ，３０ｂに溶接固定され、脚部３４ｃ，３４ｃの下端部が巾木３０の底板３０ａに溶接固定されることにより開口部３３，３３内にそれぞれ強固に固定されているため、前後に取付けられるガラスパネル４，４の荷重を受けても変形することがない。
【００５５】
アジャスタボルト３５，３５は、基部３４ａ，３４ａのねじ孔３４ｂ，３４ｂに対する締付け具合により、開口部３３，３３の上方に突出する頭部３５ａ，３５ａの高さ位置を調整可能となっている。そのため、前方側の開口部３３の上方から外嵌される下部支持部材３２（第１下部パネル支持体）及び後方側の開口部３３の上方から外嵌される下部支持部材３２’（第２下部パネル支持体）をアジャスタボルト３５，３５の頭部３５ａ，３５ａにより下方から支持できるとともに、巾木３０に対する下部支持部材３２，３２’の高さ位置を個別に調整でき、下部パネル支持体３のレベル調整を行いやすい。また、下部支持部材３２，３２’は、前後方向において分割されることにより施工時の運搬や取付け作業が行いやすく、施工性が高められている。
【００５６】
尚、本実施例における下部パネル支持体３は、巾木３０と下部支持部材３２を合わせたものとなっている。さらに尚、下部パネル支持体３を構成する巾木３０と下部支持部材３２，３２’は、アルミ合金製の押出成形品である。また、下部支持部材３２，３２’の構造は、同一構成であるため、前方側に取付けられる下部支持部材３２の構造について説明し、後方側に取付けられる下部支持部材３２’の構造についての説明を省略する。
【００５７】
下部支持部材３２は、巾木３０の上方に突出するアジャスタボルト３５の頭部３５ａにより支持される上方支持板３７と、上方支持板３７の前端から下方に延び巾木３０の前方側の側板３０ｂの外面側に配置される支持部３８と、上方支持板３７の後端から下方に延び案内部材３１の前方側の側板３１ｂの内面に沿って下方に向けて延びる案内板３９と、から構成されている。
【００５８】
また、下部支持部材３２には、支持部３８において上方支持板３７の前端から巾木３０の前方側の側板３０ｂの外面に沿って下方に向けて延びる支持板３８ａと、上述した上方支持板３７及び案内板３９と、から構成される側面視下向きコ字状構造の下向き開放部分である嵌合部３６が形成され、巾木３０の前方側の開口部３３を上方から覆うように外嵌される。
【００５９】
支持部３８は、上述した支持板３８ａと、支持板３８ａの下端から前方に向けて延びる水平板３８ｂと、から主に構成され、水平板３８ｂの上面側には、前述した下部縁材７の係合片７３と係合する被係合部３８ｃと、当接片７２と当接する当接面３８ｄが形成される。
【００６０】
被係合部３８ｃは、支持板３８ａの前面側に相当する垂直面３８ｅと、支持板３８ａの下端から前方側に向けて斜め上方向に傾斜する傾斜面３８ｆと、から構成されている。言い換えれば、被係合部３８ｃは、前方側から下方に向けて巾木３０側（後方側）に漸次減縮した形状をなし、前述したガラスパネル４の係合片７３と係合可能になっている。また、被係合部３８ｃに係合片７３が係合されると、被係合部３８ｃの傾斜面３８ｆは、係合片７３の傾斜面７３ｂと当接し、被係合部３８ｃの垂直面３８ｅは、係合片７３の垂直面７３ａと当接した状態となっているため、ガラスパネル４が浮き上がる等して前方側に移動した場合であっても、被係合部３８ｃの傾斜面３８ｆの傾斜に沿って係合片７３が滑り、被係合部３８ｃの垂直面３８ｅと係合片７３の垂直面７３ａとが当接した状態に戻るように案内される。
【００６１】
当接面３８ｄは、被係合部３８ｃの前方側に形成され、前述したガラスパネル４の当接片７２が上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００６２】
また、被係合部３８ｃ及び当接面３８ｄの下方には、係止部３８ｇが形成されており、前面カバー部材１０ｂが係止されることにより取付けられ、下部パネル支持体３とガラスパネル４の取付け構造を隠せるようになっている。
【００６３】
尚、下部支持部材３２は、アジャスタ機構３４により高さ位置の調整が行われた後、係止部３８ｇに前方側からビス５２が打ち込まれることにより、巾木３０と強固に固定される。
【００６４】
また、巾木３０の前後略中央には、案内部材３１の底板３１ａと、案内部材３１の前方側の側板３１ｂの内面に沿って下方に向けて延びる下部支持部材３２の案内板３９と、案内部材３１の後方側の側板３１ｂの内面に沿って下方に向けて延びる下部支持部材３２’の案内板３９と、から凹溝９０が形成され、レール部２６に吊支される吊戸１１（吊戸本体１１ａ）の下端部が緩嵌された状態で配置できるようになっている。
【００６５】
これによれば、間仕切パネル装置１に取付けられる前後一対のガラスパネル４，４の対向面間に吊戸１１を移動可能に吊支することができる。すなわち、吊戸１１により出入口Ｇを開けた状態（図６参照）において、吊戸１１を引き込むための戸袋９を間仕切パネル装置１に取付けられる前後一対のガラスパネル４，４の対向面間に構成することができる。
【００６６】
また、吊戸１１の下端部は、下部パネル支持体３に形成される凹溝９０内に配置されているため、吊戸１１の下端部が外部から見えないように隠せるようになっており、戸袋９内の美観が高められている。さらに、凹溝９０は前後方向に狭く構成されているため、吊戸１１の前後方向への揺動を凹溝９０内でガイドすることができ、吊戸１１を安定して吊支できるようになっている。
【００６７】
また、組み立て時において、凹溝９０により下部パネル支持体３に対する吊戸１１の下端部の位置決めを容易に行うことができるため、下部パネル支持体３に吊戸１１の案内構造を構成するための施工が容易になる。さらに、吊戸１１の開閉時においては、吊戸１１の下端部は、凹溝９０内に沿ってガイドされるようになっている。
【００６８】
また、巾木３０及び案内部材３１を共に側面視上向きコ字状に構成することにより、厚さの薄い巾木３０の底板３０ａ及び案内部材３１の底板３１ａから凹溝９０の底面の厚さが構成されるため、吊戸１１の下端を床面Ｆの近傍まで延ばすことができる。
【００６９】
尚、間仕切パネル装置１の出入口Ｇと戸袋９以外の部分において、上部パネル支持体２には、少なくともレール部２６を被覆する図示しない上面カバー部材を取付け、下部パネル支持体３には、少なくとも凹溝９０を被覆する下面カバー部材１０ｃ（図１参照）を取付けることにより、間仕切パネル装置１の内面側の美観を高めることができる。尚、間仕切パネル装置１の内面側とは、出入口Ｇと戸袋９以外の部分において前後一対のガラスパネル４，４により仕切られる空間のことである。
【００７０】
次いで、間仕切パネル装置１における戸袋９について詳しく説明する。図１及び図６に示されるように、戸袋９は、上部パネル支持体２及び下部パネル支持体３により支持される前後一対のガラスパネル４，４と、ガラスパネル４，４の対向面間において上部パネル支持体２のレール部２６と下部パネル支持体３との間で上下に延びる中柱９２と、戸袋端部９ａの前後略中央に上下方向に亘って形成され吊戸１１を出し入れ可能な開口部９ｂと、から主に構成されている。
【００７１】
図６に示されるように、中柱９２は、上面視Ｈ字状をなし、左右方向から側面カバー部材１０ｅ，１０ｅがそれぞれ取付けられている。
【００７２】
また、中柱９２の前後両面には、上下方向に延びる縦溝９２ａ，９２ａがそれぞれ設けられ、この縦溝９２ａ，９２ａには、衝撃緩衝材としての役割を果たす透明のチューブ状をなす弾性部材９３，９３が上下方向に亘ってそれぞれ嵌め込まれている。弾性部材９３，９３は、中柱９２の立設位置において、左右に隣接するガラスパネル４，４に当接することにより、戸袋９側に対する間仕切パネル装置１の内面側の遮蔽性が高められ、間仕切パネル装置１の内面側への虫や塵等の侵入を防げるようになっている。また、中柱９２は、ガラスパネル４，４の対向面間に設けられ、間仕切パネル装置１から外方に露出しないため、美観が高められる。
【００７３】
尚、中柱９２は、アルミ合金製の押出成形品であり、上部パネル支持体２及び下部パネル支持体３と比べて明度が高くなっている。これによれば、間仕切パネル装置１の外観において、中柱９２を相対的に目立ち難くすることができる。尚、中柱９２を透明なアルリル樹脂成形品としてもよく、この場合にはさらに中柱９２が目立ち難くなる。
【００７４】
また、中柱９２は、左右に隣接するガラスパネル４，４の対向端部間に充填されるジョイント材４０による連結部分（連設部）に配置されるようになっている。これによれば、間仕切パネル装置１の外観において、左右に隣接するガラスパネル４，４のジョイント材４０による連結部分に中柱９２を重畳させることにより、中柱９２を目立ち難くすることができる。
【００７５】
また、吊戸１１が吊支されるレール部２６の荷重が中柱９２を介して床面Ｆ側の下部パネル支持体３により支持されることにより、レール部２６における吊戸１１の吊支強度を高め、レール部２６の撓み等を抑えることができる。
【００７６】
戸袋９の開口部９ｂは、笠木２０と巾木３０との間に前後方向に離間して立設される前後一対の戸袋支柱９４，９４と、戸袋支柱９４，９４に前後からそれぞれ外嵌される戸袋フレーム９５，９５とから主に構成されている。尚、前後の戸袋支柱９４，９４及び戸袋フレーム９５，９５は、同一構成であるため、間仕切パネル装置１の前方側（図６紙面下方側）に取付けられる戸袋支柱９４及び戸袋フレーム９５について説明し、後方側に取付けられる戸袋支柱９４及び戸袋フレーム９５についての説明を省略する。
【００７７】
戸袋フレーム９５は、戸袋支柱９４が外部に露出しないように隠すカバー部９５ａと、ガラスパネル４の後面４ｄに当接することにより間仕切パネル装置１の構造強度を高める当接部９５ｂと、前面カバー部材１０ｂを係止させて取付けるための係止部９５ｃと、から構成されている。
【００７８】
戸袋フレーム９５の当接部９５ｂには、戸袋９内において、吊戸本体１１ａに対して上下方向に亘って当接するブラシ状のモヘアシール９６が設けられることにより、吊戸本体１１ａを傷付けることなく戸袋９の開口部９ｂに対する戸袋９側の遮蔽性を高めることができ、戸袋９内への虫や塵等の侵入を防ぐことができる。尚、モヘアシール９６は、吊戸１１により出入口Ｇを閉めた状態（図７参照）においても吊戸本体１１ａに対して常時当接するようになっている。
【００７９】
また、戸袋９内は、中柱９２により間仕切パネル装置１の内面側に対する遮蔽性が高められているため、吊戸１１により出入口Ｇを開ける際に戸袋９内に吊戸１１が引き込まれていく過程において、吊戸１１により押し込まれた戸袋９内の空気が、モヘアシール９６を通過して戸袋９の開口部９ｂから外部（出入口Ｇ側）に向かって流出することにより、戸袋９内への虫や塵等の侵入を抑えられるようになっている。
【００８０】
戸袋フレーム９５の当接部９５ｂには、前方側から取付けられるガラスパネル４，４の後面４ｄに当接し、衝撃緩衝材としての役割を果たすゴム製の弾性部材９７が嵌め込まれている。
【００８１】
戸袋フレーム９５の係止部９５ｃには、前面カバー部材１０ｂが係止されることにより取付けられ、戸袋フレーム９５に対するガラスパネル４の取付け構造を隠せるようになっている。
【００８２】
次いで、間仕切パネル装置１における出入口Ｇについて詳しく説明する。図１及び図８に示されるように、間仕切パネル装置１の出入口Ｇは、下部パネル支持体３（巾木３０及び下部支持部材３２）が延設されていない床面Ｆと、上部パネル支持体２と、左右に設けられる戸当８及び戸袋９と、から形成され、間仕切パネル装置１において前後にガラスパネル４，４が取付けられないことにより構成される。尚、出入口Ｇにおいて、床面Ｆには、後段にて詳述する吊戸ガイド９１（図１０参照）が設けられている。
【００８３】
図９に示されるように、間仕切パネル装置１の出入口Ｇにおいて、上部パネル支持体２の上部支持部材２２には、前後の前方支持部２５及び後方支持部２５’にガラスパネル４，４を取付ける必要がないため、前後の対向板２５ｃ，２５ｃに設けられる係止部２５ｄ，２５ｄに対して前述した前面カバー部材１０ｂの代わりに出入口用前面カバー部材１０ｄ，１０ｄが取付けられる。尚、出入口用前面カバー部材１０ｄは、前面カバー部材１０ｂと略同一形状であり、下端部が上部支持部材２２の係止部２６ｃに取付けられるレールカバー２８に当接する位置まで延び、前面カバー部材１０ｂとの連続性を維持しながら、上部支持部材２２における前方支持部２５及び後方支持部２５’の構造を隠せるようになっている。さらに、前面カバー部材１０ｂと出入口用前面カバー部材１０ｄの上下寸法は略同じであり、略同じ高さに取付けられるため、出入口Ｇと戸袋９の上端において前面カバー部材１０ｂ及び出入口用前面カバー部材１０ｄが連続性を持って配置されることとなり、美観に優れる。
【００８４】
また、図１０に示されるように、間仕切パネル装置１の出入口Ｇにおいて、戸袋９の開口部９ｂの近傍の床面Ｆには、側面視上向き略コ字状をなす吊戸ガイド９１がビス９８により固着され、吊戸１１（吊戸本体１１ａ）の下端部が床面Ｆに固着される基部９１ａから前後に立設するガイド片９１ｂ，９１ｂ間において近接した状態で配置されている。尚、ガイド片９１ｂ，９１ｂの前後方向の離間寸法は、戸袋９の開口部９ｂの前後寸法よりも小さくなっている。これによれば、吊戸１１の下端部がガイド片９１ｂ，９１ｂ間においてガイドされることにより、吊戸１１の前後方向への揺動を抑えることができる。
【００８５】
図７に示されるように、間仕切パネル装置１の出入口Ｇにおいて、戸当８は、笠木２０と巾木３０との間に立設される支柱８０と、支柱８０に対して間仕切パネル装置１の内面側から外嵌される側部支持部材８１及び間仕切パネル装置１の出入口Ｇ側から外嵌される戸当フレーム８２と、から主に構成されている。
【００８６】
側部支持部材８１は、ガラスパネル４，４の後面４ｄ，４ｄに当接することにより間仕切パネル装置１の構造強度を高める前後一対の当接部８１ｂ，８１ｂと、前面カバー部材１０ｂ，１０ｂを前後に係止させるための前後の係止部８１ｃ，８１ｃと、から主に構成されている。また、側部支持部材８１には、当接部８１ｂ，８１ｂを前後方向に連結する連結板８１ｄと、前後の係止部８１ｃ，８１ｃと、から構成される上面視略コ字状構造の開放部分である嵌合部８１ａが形成され、支柱８０を間仕切パネル装置１の内面側（左方側）から覆うように外嵌される。
【００８７】
当接部８１ｂ，８１ｂには、前後から取付けられるガラスパネル４，４の後面４ｄ，４ｄにそれぞれ当接し、衝撃緩衝材としての役割を果たすゴム製の弾性部材８７，８７が取付けられている。尚、前後の当接部８１ｂ，８１ｂの間には、間仕切パネル装置１の内面側から側面カバー部材１０ｅが係止されることにより取付けられ、側部支持部材８１の構造を隠せるようになっている。
【００８８】
係止部８１ｃ，８１ｃには、前面カバー部材１０ｂ，１０ｂがそれぞれ係止されることにより取付けられ、側部支持部材８１に対する前後のガラスパネル４，４の取付け構造を隠せるようになっている。
【００８９】
戸当フレーム８２は、支柱８０が外部に露出しないように隠す前後のカバー部８２ｂ，８２ｂと、吊戸１１の戸頭側の側端部に取付けられる保護材１４が当接する戸当部８２ｃと、から構成され、戸当部８２ｃには、吊戸本体１１ａの側端部と当接し、衝撃緩衝材としての役割を果たすゴム製の戸当部材８３が取付けられている。また、戸当フレーム８２には、戸当部８２ｃと、前後のカバー部８２ｂ，８２ｂと、から構成される上面視略コ字状構造の開放部分である嵌合部８２ａが形成され、支柱８０を出入口Ｇ側（右方側）から覆うように外嵌される。
【００９０】
次いで、戸袋９における上部パネル支持体２及び下部パネル支持体３に対するガラスパネル４の取付け方法について説明する。尚、ここでは、予め上部パネル支持体２及び下部パネル支持体３に対して戸袋９を構成する後方側のガラスパネル４を取付け、レール部２６内に配置された吊支装置１５の挟持板１９，１９に吊戸本体１１ａを取付けた状態において、最後に前方側のガラスパネル４（以下、単にガラスパネル４ともいう）を取付ける場合を例に挙げて説明する。
【００９１】
図１１（ａ）に示されるように、まず、ガラスパネル４の上方を上部パネル支持体２側に傾斜させた状態で持ち、ガラスパネル４の上端に固定された上部縁材６の挿入板６１を上部パネル支持体２の前方支持部２５に設けられた上部挿入溝２７に挿入する。このとき、ガラスパネル４に設けられた挿入板６１の後方側の垂直面６１ａを前方支持部２５の起立板２５ａに当接させて上方に向けて滑らせることにより、上方に位置する上部挿入溝２７へ挿入板６１を案内させることができるので、上部挿入溝２７に対する挿入板６１の挿入を安全に且つ確実に行うことができる。
【００９２】
次に、図１１（ｂ）に示されるように、上部挿入溝２７に挿入板６１が挿入された状態で当該箇所を中心としてガラスパネル４の下端を下部パネル支持体３に近接させるように回動させ、ガラスパネル４の下端を略水平に移動させる。このとき、ガラスパネル４を持ち上げ、上部挿入溝２７に挿入板６１の略全体が挿入されている状態でガラスパネル４を回動させることにより、パネル本体４ｂの下端に固定された下部縁材７が下部パネル支持体３の前方側に突出している被係合部３８ｃ及び当接面３８ｄに接触することなく、ガラスパネル４の下端を下部パネル支持体３に近接させることができ、ガラスパネル４の回動を安全かつ確実に行うことができる。
【００９３】
最後に、図１１（ｃ）に示されるように、挿入板６１の垂直面６１ａ及び係合片７３の垂直面７３ａを上部パネル支持体２の前方支持部２５に設けられた起立板２５ａ及び下部パネル支持体３の下部支持部材３２の支持部３８に設けられた支持板３８ａに当接させた状態で真下に落とし込むことにより、図１１（ｄ）に示されるように、ガラスパネル４の下端に設けられた係合片７３を支持部３８の被係合部３８ｃに係合させることができる。また、同時に、ガラスパネル４の下端に設けられた当接片７２の当接面７２ａを下部パネル支持体３の支持部３８に設けられた当接面３８ｄに上方から当接させることができる。このとき、被係合部３８ｃを構成する垂直面３８ｅの下端から上部挿入溝２７の開口部２７ａまでの上下寸法Ｌ２よりもガラスパネル４の上下寸法Ｌ１（上部縁材６の挿入板６１の上端から下部縁材７の係合片７３の下端までの上下寸法）が大きくなっており、上部挿入溝２７に挿入板６１が挿入された状態が保持されている（図２参照）。
【００９４】
これにより、上部パネル支持体２及び下部パネル支持体３に対するガラスパネル４の取付けが完了し、下部パネル支持体３の支持部３８に設けられた被係合部３８ｃにガラスパネル４の下端に設けられた係合片７３が係合された状態で、同時に上部パネル支持体２の前方支持部２５に設けられた上部挿入溝２７に挿入板６１が挿入された状態とすることができ、且つ挿入板６１の垂直面６１ａと、係合片７３の垂直面７３ａと、を上部支持部材２２の起立板２５ａ及び下部支持部材３２の支持板３８ａに当接させた状態とすることができるので、ガラスパネル４を上部パネル支持体２及び下部パネル支持体３に対して安定して保持させることができる。
【００９５】
以上説明したように、本実施例における間仕切パネル装置１のガラスパネル４は、ガラスパネル４の上端に設けられる上部縁材６の挿入板６１を上部パネル支持体２の前方支持部２５に設けられる上部挿入溝２７に対して斜め下から挿入し、挿入板６１を上部挿入溝２７に挿入したまま当該箇所を中心としてガラスパネル４を回動させ、ガラスパネル４の下端に設けられる下部縁材７の係合片７３を略水平に移動させた後、真下に落とし込み、下部パネル支持体３の支持部３８に設けられる被係合部３８ｃに係合させてガラスパネル４を載置することにより、挿入板６１が上部挿入溝２７内に挿入された状態を保ちながらガラスパネル４を立て掛けることができるので、施工過程において容易にガラスパネル４の取付け施工を行うことができる。
【００９６】
また、上部パネル支持体２に一体に設けられるレール部２６に対して吊支装置１５を介して直接吊戸１１（吊戸本体１１ａ）の取付け施工を行った後、吊戸１１の戸袋９を構成する少なくとも最後のガラスパネル４の取付け施工を行うことができるため、間仕切パネル装置１に対するガラスパネル４と吊戸１１の取付け施工が容易になる。さらに、吊戸１１を吊設するための枠体を別途設けていないため、組み立て施工性がよい。
【００９７】
また、上述の寸法関係（Ｌ１＞Ｌ２）であるため、ガラスパネル４を上部パネル支持体２及び下部パネル支持体３に取付けた状態でガラスパネル４が前後に倒れることがない。
【００９８】
また、上部挿入溝２７を構成する対向板２５ｃの下端は、起立板２５ａの下端よりも上方に形成されている（上部挿入溝２７の開口部２７ａは、起立板２５ａの下端よりも上方に形成されている）ため、ガラスパネル４に設けられた挿入板６１を前方支持部２５の起立板２５ａに当接させながら上方に移動させることにより上部挿入溝２７の開口部２７ａに下方から挿入板６１を挿入させることができるので、上部挿入溝２７に挿入板６１を挿入させるための位置合わせと挿入の作業が容易になり、ガラスパネル４の取付けの施工性を向上させることができる。
【００９９】
また、ガラスパネル４が垂直に立ち上がった状態で挿入板６１の垂直面６１ａを起立板２５ａに当接させ、起立板２５ａに沿ってガラスパネル４を真下に落とし込むことにより、ガラスパネル４の下端に設けられた係合片７３を被係合部３８ｃに係合させることができるので、ガラスパネル４の取付け作業が容易になり、ガラスパネル４の取付けの施工性を向上させることができる。
【０１００】
また、ガラスパネル４が垂直に立ち上がった状態で、ガラスパネル４の下端に設けられた係合片７３の垂直面７３ａを下部支持部材３２の支持板３８ａに当接させ、支持板３８ａに沿ってガラスパネル４を真下に落とし込むことにより、ガラスパネル４の下端に設けられた係合片７３を被係合部３８ｃに係合させることができるので、ガラスパネル４の取付け作業が容易になり、ガラスパネル４の取付けの施工性を向上させることができる。
【０１０１】
また、ガラスパネル４の取付け施工において、ガラスパネル４は、上部支持部材２２の起立板２５ａ，２５ａ及び下部支持部材３２，３２’の支持板３８ａ，３８ａよりも間仕切パネル装置１の内側に入り込むことがないため、予めレール部２６に吊戸１１を取付けた状態であっても、吊戸１１とガラスパネル４が接触することがなく安全に作業することができる。さらに、レールカバー２８，２８は、上部支持部材２２の前方支持部２５及び後方支持部２５’における起立板２５ａ，２５ａと面一になるように取付けられるため、ガラスパネル４の取付け施工の邪魔にならない。
【０１０２】
また、ガラスパネル４が取付けられた状態において、ガラスパネル４と笠木２０及び巾木３０との距離が近くなっているため、間仕切パネル装置１の前後寸法の変更幅（笠木２０及び巾木３０の前後寸法の変更幅）を大きく取ることが可能となり、例えば、間仕切パネル装置１の前後寸法を小さくした場合であっても、笠木２０及び巾木３０の前後寸法をできる限り大きくして下部パネル支持体３の支持強度を高めることができ、安定性が高まるので、間仕切パネル装置１の設計自由度が高くなっている。
【０１０３】
また、上部支持部材２２において、ガラスパネル４，４を前後方向に離間させて取付けるための前方支持部２５及び後方支持部２５’の間のスペースを利用して吊戸１１を吊支するためのレール部２６をコンパクトに構成できる。さらに、上部支持部材２２において、レール部２６内に配置される吊支装置１５，１５のローラ部１６，１６と、前方支持部２５及び後方支持部２５’に取付けられるガラスパネル４，４の上端部との高さ位置が近くなっており、吊戸１１の吊支構造とガラスパネル４，４の取付け構造を上部支持部材２２内の近い位置にコンパクトに構成できるため、それぞれに必要な支持強度を互いに補い合う構造とすることができる。
【０１０４】
また、上部支持部材２２において、連結部２４の直下に吊支装置１５のローラ部１６が配置されるレール部２６が設けられているため、吊戸１１が取付けられた状態において、吊戸１１の上端と笠木２０との上下方向の距離が近くなっている。さらに、上部支持部材２２において、笠木２０に固定される連結金具２１，２１，…との連結部分として剛性が必要となる連結部２４の構造を利用してレール部２６が形成されており、上部支持部材２２全体をコンパクトに構成できるため、吊戸１１の上下寸法を大きく取ることが可能となり、間仕切パネル装置１の出入口Ｇ及び戸袋９においても連続性が失われず、美観を高めることができる。
【０１０５】
また、上部パネル支持体２は、上部支持部材２２の前後にガラスパネル４，４を取付けるための前方支持部２５及び後方支持部２５’を有し、前方支持部２５及び後方支持部２５’の間に吊戸１１を吊支可能なレール部２６が一体成形されているため、構造強度が高くなるとともに、天井Ｃに設けられる上部パネル支持体２に対して別途レール部２６の取付け施工を行う必要がなく、設置現場において上部パネル支持体２に吊戸１１の吊支構造を構成するための施工が容易になる。
【０１０６】
また、下部パネル支持体３は、下部支持部材３２，３２’の前後にガラスパネル４，４，…を支持するための支持部３８，３８をそれぞれ有し、該下部支持部材３２，３２’の間に吊戸１１（吊戸本体１１ａ）の下端部を案内する凹溝９０が一体に構成されているため、設置現場において床面Ｆに設けられた下部パネル支持体３に吊戸１１の案内構造を構成するための施工が容易になる。
【０１０７】
さらに、下部パネル支持体３は、前方側でガラスパネル４を支持する支持部３８を有する下部支持部材３２と、後方側でガラスパネル４を支持する支持部３８を有する下部支持部材３２’とに分割され、前後に対向して凹溝９０を構成する案内板３９，３９をそれぞれ備えているため、下部支持部材３２，３２’を個別に離間させて設置することができ、下部パネル支持体３に吊戸１１の案内構造を容易に構成できる。
【０１０８】
また、下部パネル支持体３において、巾木３０に形成される前後一対の断面上向きコ字形の開口部３３，３３に上方からそれぞれ断面上向きコ字形の下部支持部材３２，３２’がそれぞれ外嵌されることにより、下部パネル支持体３の構造が補強されるため、下部支持部材３２，３２’を前後に分割しても下部パネル支持体３におけるガラスパネル４，４，…の支持強度を高めることができる。
【０１０９】
また、間仕切パネル装置１において、ガラスパネル４，４，…及び吊戸１１は、透光性を有しているため、吊戸１１による出入口Ｇの開閉状態に係らず、間仕切パネル装置１を挟んで反対側（例えば、前方側から後方側）を見ることができ、間仕切パネル装置１全体が透明の間仕切として機能し、美観に優れる。
【０１１０】
また、間仕切パネル装置１の壁面として使用されるガラスパネル４，４間を吊戸１１の戸袋９として利用することができ、間仕切パネル装置１に吊戸１１を設置するために別体の戸袋ユニット等を必要としない。そのため、間仕切パネル装置１の戸袋９において壁面との連続性が失われることがなく、美観を高めることができる。
【０１１１】
以上、本発明の実施例を図面により説明してきたが、具体的な構成はこれら実施例に限られるものではなく、本発明の要旨を逸脱しない範囲における変更や追加があっても本発明に含まれる。
【０１１２】
例えば、前記実施例では、予め上部パネル支持体２及び下部パネル支持体３に対して戸袋９を構成する後方側のガラスパネル４を取付け、レール部２６内に配置された吊支装置１５の挟持板１９，１９に吊戸本体１１ａを取付けた状態において、最後に前方側のガラスパネル４を取付ける場合を例に挙げて説明したが、これに限らず、吊戸１１が取付けられた状態で戸袋９を構成する前後のガラスパネル４，４を取付けるようにしてもよい。
【０１１３】
また、前記実施例では、上部支持部材２２にレール部２６が一体成形されるものとして説明したが、これに限らず、上部支持部材に別体のレール部材を一体に取付けられるものであってもよい。
【０１１４】
また、中柱９２の設置は必須ではなく、設置しない場合には間仕切パネル装置１の美観がより高められる。この場合、上部支持部材２２の構造強度を高めるとともに、天井Ｃに対する笠木２０及び連結金具２１，２１，…の固定強度、連結金具２１，２１，…に対する上部支持部材２２の連結部２４の連結強度を高めることが好ましい。
【０１１５】
また、上部支持部材２２のレール部２６は、少なくとも出入口Ｇと戸袋９部分に設けられるものであればよいが、上部支持部材２２は、吊戸１１を吊支するための構造強度と、前後一対のガラスパネル４，４を支持するための構造強度を共に有しているため、間仕切パネル装置１全体に対してレール部２６を有する上部支持部材２２を上部パネル支持体２の構成部材として使用されてもよい。
【０１１６】
また、下部パネル支持体３の凹溝９０は、少なくとも戸袋９部分に設けられるものであればよいが、下部パネル支持体３の下部支持部材３２，３２’は、凹溝９０を構成しながら前後一対のガラスパネル４，４を支持するための構造強度を有しているため、間仕切パネル装置１全体に対して凹溝９０を構成する下部支持部材３２，３２’を下部パネル支持体３の構成部材として使用してもよい。
【０１１７】
また、前記実施例において、ガラスパネル４は、パネル本体４ｂの上端面４ｃ及び下端面４ｅに両面接着テープあるいはホットメルト接着剤５により上部縁材６及び下部縁材７がそれぞれ固定される態様として説明したが、これに限らず、ガラスパネル４に下部縁材７は設けなくてもよく、この場合には、パネル本体４ｂの下端面４ｅがガラスパネル４の下端部となる。
【０１１８】
また、前記実施例において、中柱９２は、アルミ合金製の押出成形品として説明したが、これに限らず、レール部２６にかかる荷重を支持することができるものであれば、他の金属や樹脂等から構成されていてもよい。
【０１１９】
また、パネル本体４ｂまたは吊戸本体１１ａとして、金属製パネルや木製パネル等が使用されてもよい。
【符号の説明】
【０１２０】
１                間仕切パネル装置
２                上部パネル支持体
３                下部パネル支持体
４                ガラスパネル（パネル体）
４ｂ              パネル本体
６                上部縁材
７                下部縁材
８                戸当
９                戸袋
９ｂ              開口部
１１              吊戸
１５              吊支装置
２０              笠木
２２              上部支持部材
２５              前方支持部
２５’            後方支持部
２６              レール部（レール）
２７              上部挿入溝
２８              レールカバー
３０              巾木（ベース部材）
３１              案内部材
３２，３２’      下部支持部材（第１下部パネル支持体，第２下部パネル支持体）
３３              開口部
３４              アジャスタ機構
３８              支持部
３８ｃ            被係合部
６１              挿入板
８３              戸当部材
９０              凹溝
９１              吊戸ガイド
９２              中柱
Ｇ                出入口
【図１】
2018071279.tif 000003
【図２】
2018071279.tif 000004
【図３】
2018071279.tif 000005
【図４】
2018071279.tif 000006
【図５】
2018071279.tif 000007
【図６】
2018071279.tif 000008
【図７】
2018071279.tif 000009
【図８】
2018071279.tif 000010
【図９】
2018071279.tif 000011
【図１０】
2018071279.tif 000012
【図１１】
2018071279.tif 000013